(57)【要約】【課題】単語を学習するのに効果的にテキストを表示可能な電子機器を提供する。【解決手段】ユーザの母国語である第１言語（日本語）であって、且つ、ユーザの興味があるジャンルの文章（テキスト）を、辞書コンテンツデータ１２ｅｎあるいは通信媒体や記録媒体に基づき取得してタッチパネル式表示部１７に表示させる際に、取得された第１言語（日本語）の文章（テキスト）に含まれる各単語（日本語）の中に、検索履歴リスト＜苦手単語リスト＞記憶エリア２２ｆに苦手英単語フラグを対応付けて記憶されている第２言語（学習対象言語：英語）の苦手英単語Ｗに対応する日本語（意味）と合致する単語（日本語）があるか判定する。そして、苦手英単語Ｗに対応する日本語（意味）と合致した単語（日本語）を当該苦手英単語Ｗに置き換えて変換し、変換した文書（テキスト）をタッチパネル式表示部１７にテキスト画面ＧＳとして表示させる。【選択図】      図１
2020160112.tif 000002
【特許請求の範囲】
【請求項１】
ディスプレイと、
プロセッサと、を備え、
前記プロセッサは、
第１言語のテキストを表示対象として取得し、
取得した前記テキストに含まれる複数の第１言語の単語それぞれについて、前記第１言語の単語に対応する前記第１言語とは異なる第２言語の単語が特定の単語として登録されているか否かを判定し、
前記特定の単語として登録されていると判定された前記第２言語の単語に対応する前記第１言語の単語を前記第２言語の単語に変換してから前記テキストを前記ディスプレイに表示させる、ように構成されている、
電子機器。
【請求項２】
前記第１言語はユーザの母国語であり、
前記第２言語はユーザの学習対象とする言語であり、
前記特定の単語は、前記第２言語の単語のうちの特に学習が必要な単語である、
請求項１に記載の電子機器。
【請求項３】
前記第２言語の単語のうちの前記特定の単語は、ユーザが苦手であることを示す情報を対応付けてストレージ内にリストにして複数が記憶されており、
前記プロセッサは、
前記テキストに含まれる複数の前記第１言語の単語それぞれについて、前記リストとして記憶されている複数の前記特定の単語のいずれかに対応するか否かを判定し、
複数の前記特定の単語のいずれかに対応すると判定された前記第２言語の単語のうちの少なくとも１つに対応する前記第１言語の単語を前記第２言語の単語に変換してから前記テキストを前記ディスプレイに表示させる、
請求項１または請求項２に記載の電子機器。
【請求項４】
前記プロセッサは、
前記第２言語の単語のユーザの苦手度を判定し、
設定された苦手度以上の前記第２言語の単語を、前記特定の単語として前記ユーザが苦手であることを示す情報を対応付けて前記ストレージに記憶させる、
請求項３に記載の電子機器。
【請求項５】
前記プロセッサは、
前記取得した前記テキストの内容が特定の種類の内容であるかを判定し、
前記特定の種類の内容であると判定された場合に、前記取得した前記テキストに含まれる複数の第１言語の単語それぞれについて、前記第１言語の単語に対応する前記第１言語とは異なる第２言語の単語が特定の単語として登録されているか否かを判定する、
請求項１ないし請求項４の何れか一項に記載の電子機器。
【請求項６】
前記特定の種類は、ユーザが興味のある種類としてストレージに記憶されており、
前記プロセッサは、
前記取得した前記テキストの内容が、前記ユーザが興味のある種類として記憶された特定の種類の内容であるかを判定する、
請求項５に記載の電子機器。
【請求項７】
前記プロセッサは、
ユーザが興味のある種類を判定し、
前記判定された種類を前記ストレージに記憶させる、
請求項６に記載の電子機器。
【請求項８】
前記表示対象として取得されるテキストは、辞書コンテンツおよびインターネット上のコンテンツから取得される、
請求項１ないし請求項７の何れか一項に記載の電子機器。
【請求項９】
前記ユーザの母国語である第１言語と前記学習対象とする言語である第２言語とは、ユーザ操作に応じて選択される、
請求項２に記載の電子機器。
【請求項１０】
ディスプレイを備えた電子機器のプロセッサにより、
第１言語のテキストを表示対象として取得し、
取得した前記テキストに含まれる複数の第１言語の単語それぞれについて、前記第１言語の単語に対応する前記第１言語とは異なる第２言語の単語が特定の単語として登録されているか否かを判定し、
前記特定の単語として登録されていると判定された前記第２言語の単語に対応する前記第１言語の単語を前記第２言語の単語に変換してから前記テキストを前記ディスプレイに表示させる、
テキスト表示方法。
【請求項１１】
ディスプレイを備えた電子機器のプロセッサを、
第１言語のテキストを表示対象として取得し、
取得した前記テキストに含まれる複数の第１言語の単語それぞれについて、前記第１言語の単語に対応する前記第１言語とは異なる第２言語の単語が特定の単語として登録されているか否かを判定し、
前記特定の単語として登録されていると判定された前記第２言語の単語に対応する前記第１言語の単語を前記第２言語の単語に変換してから前記テキストを前記ディスプレイに表示させる、
ように機能させるためのプログラム。
【発明の詳細な説明】
【技術分野】
【０００１】
本発明は、テキストを表示する機能を備えた電子機器、テキスト表示方法およびプログラムに関する。
【背景技術】
【０００２】
文脈に沿って英単語の意味を覚えるストーリー記憶法が知られている。
【０００３】
そして、表示されている文書（テキスト）内で、ユーザが覚えるべき単語を隠して表示させることで、言語の学習を行うことも知られている（例えば、特許文献１参照。）。
【先行技術文献】
【特許文献】
【０００４】
【特許文献１】特開２００６−２９３１８５号公報
【発明の概要】
【発明が解決しようとする課題】
【０００５】
本発明が解決しようとする課題は、単語を学習するのに効果的にテキストを表示させることが可能になる電子機器、テキスト表示方法およびプログラムを提供することにある。
【課題を解決するための手段】
【０００６】
本発明に係る電子機器は、
ディスプレイと、
プロセッサと、を備え、
前記プロセッサは、
第１言語のテキストを表示対象として取得し、
取得した前記テキストに含まれる複数の第１言語の単語それぞれについて、前記第１言語の単語に対応する前記第１言語とは異なる第２言語の単語が特定の単語として登録されているか否かを判定し、
前記特定の単語として登録されていると判定された前記第２言語の単語に対応する前記第１言語の単語を前記第２言語の単語に変換してから前記テキストを前記ディスプレイに表示させる、ように構成されている。
【図面の簡単な説明】
【０００７】
【図１】本発明の電子機器、テキスト表示方法およびプログラムの実施形態に係る電子辞書１０の外観構成およびテキスト表示機能の概略を示す図。
【図２】本発明の電子機器をタブレット型のＰＤＡ（ＰＣ）として構成した場合におけるテキスト表示機能の概略を示す図。
【図３】電子辞書１０（電子機器）の電子回路の構成を示すブロック図。
【図４Ａ】電子辞書１０（電子機器）の文章（テキスト）表示処理プログラム２２ｂに従った文章（テキスト）表示処理のうち英単語学習機能を司る部分の処理を示すフローチャート。
【図４Ｂ】電子辞書１０（電子機器）の文章（テキスト）表示処理プログラム２２ｂに従った文章（テキスト）表示処理のうち自動リーディング補助機能を司る部分の処理を示すフローチャートである。
【図５】電子辞書１０（電子機器）の苦手単語登録処理プログラム２２ｃに従った苦手単語登録処理を示すフローチャート。
【図６】電子辞書１０（電子機器）の興味ジャンル判定処理プログラム２２ｄに従った興味ジャンル判定処理を示すフローチャート。
【発明を実施するための形態】
【０００８】
以下図面を参照して本発明の実施形態について説明する。
【０００９】
図１は、本発明の電子機器、テキスト表示方法およびプログラムの実施形態に係る電子辞書１０の外観構成およびテキスト表示機能の概略を示す図である。
【００１０】
電子機器は、以下に説明する語学学習専用の電子辞書１０として構成されるか、タブレット型のＰＤＡ(personal digital assistants)、ＰＣ(personal computer)、携帯電話、電子ブック、携帯ゲーム機など、テキストを表示する機能を備えた電子機器として構成される。
【００１１】
電子辞書１０は、その本体ケース１１と蓋体ケース１２とがヒンジ部１３を介して展開／閉塞可能な折り畳み型ケースを備えて構成される。折り畳み型ケースを展開した本体ケース１１の正面には、［ホーム］キー１４ａ、機能指定キー１４ｂ、文字入力キー１４ｃ、［訳／決定］キー１４ｄ、［戻る／リスト］キー１４ｅ、カーソルキー１４ｆ、［シフト］キー１４ｇなどを含むキー入力部（キーボード）１４、音声出力部（スピーカを含む）１５、および音声入力部（マイクを含む）１６が設けられる。
【００１２】
また、蓋体ケース１２の正面には、タッチパネル式表示部（ディスプレイ）１７が設けられる。タッチパネル式表示部１７は、ユーザがペンや指などでタッチした位置を検出するタッチ位置検出装置と表示装置が一体となった構造であり、バックライト付きのカラー液晶表示画面に透明タッチパネルを重ねて構成される。
【００１３】
タッチパネル式表示部１７の左端には、キー入力部１４における一部のキーの押下操作や電子辞書１０の一部の機能の指定操作を、タッチ操作により行うためのキーや機能の表記（［マーカ］［付箋］［暗記カード］など）が固定した位置に印刷されたタッチキーエリア１７Ａが設けられる。
【００１４】
［ホーム］キー１４ａは、表示部１７にホーム画面（図示せず）を表示させるためのキーである。
【００１５】
機能指定キー１４ｂは、各キーに表記されている辞書コンテンツ（［広○苑］［百科］など）、辞書コンテンツのカテゴリ（［国語］［古語］［英和］［和英］など）、［コンテンツ一覧］、ツールの一つのカテゴリ［学習帳］を、それぞれ直接指定するためのキーである。
【００１６】
キー入力部１４のキーは、［シフト］キー１４ｇが操作された後に続けて操作されることで、そのキートップに枠囲み無しで記載されたキー機能ではなく、枠囲みして記載されたキーとして機能できるようになっている。例えば、［シフト］キー１４ｇの操作後に［訳／決定］キー１４ｄが操作（以下、［シフト］＋［決定］キーと記す。）されると登録対象として指定されているデータを登録する機能を起動させるための［登録］キーとなる。［シフト］＋［削除］キーは［設定］キーとなる。
【００１７】
実施形態の電子辞書１０は、例えばユーザの母国語である第１言語（ここでは日本語）のテキスト（文書、文章など）をタッチパネル式表示部１７にさせる場合、表示対象となるテキストに含まれる第１言語の単語のうち、ユーザの苦手とする第２言語（ここでは英語）の単語に対応する第１言語の単語を、当該第２言語の単語に変換した後に表示させるようにしたテキスト表示機能を備えている。
【００１８】
図１に示すテキスト表示機能の実施例の動作の概略を、電子辞書１０（電子機器）の電子回路（図３参照）に基づいて説明する。
【００１９】
メモリ（辞書コンテンツデータ記憶エリア２２ｅ）に記憶されている辞書コンテンツデータ（国語系）２２ｅ１から、検索された見出し語「スピンオフ」に対応する説明情報のテキスト（日本語）のデータが表示内容のデータとして読み出される（取得）。
【００２０】
読み出された説明情報のテキストのうち、検索履歴リスト＜苦手単語リスト＞記憶エリア２２ｆに記憶されているユーザが苦手な英単語“independence”（苦手英単語）Ｗに対応する日本語の単語“独立”の部分が、当該英単語“independence”（苦手英単語）Ｗに変換される。
【００２１】
変換された説明情報のテキストのデータは、表示データ記憶エリア２２ｋに書き込まれ、テキスト画面ＧＳとしてタッチパネル式表示部１７に表示される。
【００２２】
図２は、本発明の電子機器をタブレット型のＰＤＡ（ＰＣ）として構成した場合におけるテキスト表示機能の概略を示す図である。
【００２３】
ＰＤＡ（ＰＣ）に搭載されたブラウザにより、通信ネットワーク（インターネット）Ｎ上のＷｅｂサーバから、ユーザ所望のトピックのテキスト（日本語）のデータが表示内容のデータとして読み出される（取得）。
【００２４】
読み出されたトピックのテキストのうち、検索履歴リスト＜苦手単語リスト＞記憶エリア２２ｆに記憶されているユーザが苦手な英単語“protection”（苦手英単語）Ｗに対応する日本語の単語“保護”の部分が、当該英単語“protection”（苦手英単語）Ｗに変換される。
【００２５】
変換されたトピックのテキストのデータは、表示データ記憶エリア２２ｋに書き込まれ、テキスト画面ＧＳとしてタッチパネル式表示部１７に表示される。
【００２６】
このようなテキスト表示機能によれば、変換した苦手英単語Ｗと、その前後にある日本語のテキストとの繋がりから、当該苦手英単語Ｗの意味をユーザが連想して導き出すことで、ユーザは同苦手英単語Ｗを効果的に学習できる。
【００２７】
図３は、電子辞書１０（電子機器）の電子回路の構成を示すブロック図である。
【００２８】
電子辞書１０（電子機器）の電子回路は、コンピュータであるＣＰＵ（プロセッサ）２１を備える。
【００２９】
ＣＰＵ２１は、フラッシュＲＯＭなどの記憶部（ストレージ）２２に予め記憶された辞書システムプログラム２２ａ、文章（テキスト）表示処理プログラム２２ｂ、苦手単語登録処理プログラム２２ｃ、興味ジャンル判定処理プログラム２２ｄ、あるいはメモリカードなどの外部記録媒体２３から記録媒体読取部２４により読み取られて記憶部２２に記憶された各プログラム２２ａ，２２ｂ，２２ｃ，２２ｄ、あるいは通信ネットワークＮ上のＷｅｂサーバ（ここではプログラムサーバ）３０から通信部２５を介してダウンロードされ記憶部２２に記憶された各プログラム２２ａ，２２ｂ，２２ｃ，２２ｄ、に従って回路各部の動作を制御する。
【００３０】
ＣＰＵ２１には、データ及び制御バスを介して、記憶部２２、記録媒体読取部２４、通信部２５を接続するほか、キー入力部１４、音声出力部１５、音声入力部１６、タッチパネル式表示部１７、を接続する。
【００３１】
記憶部２２には、辞書システムプログラム２２ａ、文章（テキスト）表示処理プログラム２２ｂ、苦手単語登録処理プログラム２２ｃ、興味ジャンル判定処理プログラム２２ｄを記憶するプログラム記憶エリア（２２ａ，２２ｂ，２２ｃ，２２ｄ）のほか、辞書コンテンツデータ記憶エリア２２ｅ、検索履歴リスト＜苦手単語リスト＞記憶エリア２２ｆ、興味ジャンルリスト記憶エリア２２ｇ、ジャンル別頻出単語リスト記憶エリア２２ｈ、英単語学習モード記憶エリア２２ｉ、自動リーディング補助モード記憶エリア２２ｊ、および表示データ記憶エリア２２ｋ、などを確保する。
【００３２】
辞書システムプログラム２２ａは、電子辞書１０の全体の動作を司るシステムプログラム、通信部２５を介して外部の電子機器と通信接続するためのプログラム、および、辞書コンテンツデータ記憶エリア２２ｅに記憶されている各コンテンツデータ２２ｅ１，２２ｅ２，…を含む種々のデータを使って、各コンテンツやツールに対応する種々の機能を実行するためのプログラムなどを含む。
【００３３】
文章（テキスト）表示処理プログラム２２ｂは、前述したテキスト表示機能を実行するためのプログラムを含む。
【００３４】
苦手単語登録処理プログラム２２ｃは、辞書システムプログラム２２ａに従った辞書検索処理（情報検索処理）に応じて検索された単語（ここでは英単語）と当該検索された英単語の検索回数とに基づいて、同検索された英単語を苦手英単語として検索履歴リスト＜苦手単語リスト＞記憶エリア２２ｆに記憶させるためのプログラムを含む。
【００３５】
興味ジャンル判定処理プログラム２２ｄは、辞書システムプログラム２２ａあるいはブラウザなどに従って取得された文章（テキスト）データの文章の内容のジャンル（種類）が、興味ジャンルリスト記憶エリア２２ｇに記憶されているユーザが興味のあるジャンル（特定の種類）と一致するか否かを判定するためのプログラムを含む。
【００３６】
辞書コンテンツデータ記憶エリア２２ｅは、辞書のカテゴリ毎に、複数種類の辞書コンテンツを含む辞書コンテンツデータ（国語系）２２ｅ１、辞書コンテンツデータ（英語系）２２ｅ２、などを該当するコンテンツを利用するアプリケーションとして記憶する。
【００３７】
検索履歴リスト＜苦手単語リスト＞記憶エリア２２ｆは、苦手単語登録処理プログラム２２ｃに従って、辞書検索処理（情報検索処理）に応じて検索された単語（ここでは英単語）のデータと、当該単語の検索回数のデータと、当該検索された単語が苦手英単語であることを示す苦手英単語フラグのデータと、当該単語の学習優先度を示す学習優先度データと、を対応付けて、リスト化して記憶する。
【００３８】
興味ジャンルリスト記憶エリア２２ｇは、ユーザが興味のあるジャンルを示す興味ジャンルデータを、リスト化して記憶する。興味ジャンルデータは、複数のジャンルの選択肢の中からユーザにより選択されたジャンルを示すデータ、あるいはユーザにより直接入力されたジャンルを示すデータ、あるいは辞書システムプログラム２２ａあるいはブラウザなどに従って取得された文章（テキスト）データのジャンルと当該文章（テキスト）データの取得回数とに基づいてユーザが興味あると判定されたジャンルを示すデータを含む。
【００３９】
ジャンル別頻出単語リスト記憶エリア２２ｈは、ジャンル別に頻出する単語を、単語の原形でリスト化して記憶する。
【００４０】
英単語学習モード記憶エリア２２ｉは、前述したテキスト表示機能を、ユーザが英単語を学習する機能（英単語学習機能）として実行させるための動作モードを示すデータ（英単語学習モードデータ）を記憶する。英単語学習モードデータは、ユーザ操作に応じて該当する動作モードが指定されることにより英単語学習モード記憶エリア２２ｉに記憶される。
【００４１】
自動リーディング補助モード記憶エリア２２ｊは、例えばユーザの母国語（第１言語：ここでは日本語）ではない第２言語（ここでは英語）の文章（テキスト）を表示させる場合に、前述したテキスト表示機能に基づく自動リーディング補助機能（ユーザによるテキストのリーディングを補助する機能）を実行させるための動作モードを示すデータ（自動リーディング補助モードデータ）を記憶する。自動リーディング補助モードデータは、ユーザ操作に応じて該当する動作モードが指定されることにより自動リーディング補助モード記憶エリア２２ｊに記憶される。
【００４２】
表示データ記憶エリア２２ｋは、電子辞書１０の動作に応じてＣＰＵ２１がタッチパネル式表示部１７に表示させる、例えばビットマップ形式の画像データを記憶する。
【００４３】
このように構成された電子辞書１０（電子機器）は、ＣＰＵ２１が、辞書システムプログラム２２ａ、文章（テキスト）表示処理プログラム２２ｂ、苦手単語登録処理プログラム２２ｃおよび興味ジャンル判定処理プログラム２２ｄに記述された命令従い回路各部の動作を制御し、ソフトウエアとハードウエアとが協働して動作することにより、以下の動作説明で述べるような、テキスト表示機能（英単語学習機能）および当該テキスト表示機能に基づく自動リーディング補助機能を実現する。
【００４４】
次に、実施形態に係る電子辞書１０（電子機器）の動作について説明する。
【００４５】
図４Ａは、電子辞書１０（電子機器）の文章（テキスト）表示処理プログラム２２ｂに従った文章（テキスト）表示処理のうち英単語学習機能を司る部分の処理を示すフローチャートである。
【００４６】
図４Ｂは、電子辞書１０（電子機器）の文章（テキスト）表示処理プログラム２２ｂに従った文章（テキスト）表示処理のうち自動リーディング補助機能を司る部分の処理を示すフローチャートである。
【００４７】
図５は、電子辞書１０（電子機器）の苦手単語登録処理プログラム２２ｃに従った苦手単語登録処理を示すフローチャートである。
【００４８】
図６は、電子辞書１０（電子機器）の興味ジャンル判定処理プログラム２２ｄに従った興味ジャンル判定処理を示すフローチャートである。
【００４９】
ここでは、文章（テキスト）表示処理について説明する前に、予め、苦手単語登録処理と興味ジャンル判定処理について説明する。
【００５０】
（苦手単語登録処理：図５）
辞書システムプログラム２２ａに従い、辞書コンテンツデータ記憶エリア２２ｅに記憶されている、例えば英語系の辞書コンテンツデータ（英和辞書）２２ｅ２に基づいて英単語の検索が行われると（ステップＲ１のＹＥＳ）、ＣＰＵ２１は、検索された英単語のデータが検索履歴リスト＜苦手単語リスト＞記憶エリア２２ｆに記憶されている（存在する）か否か判定する（ステップＲ２）。
【００５１】
検索された英単語は、初めて検索された英単語であり、当該英単語のデータは検索履歴リスト＜苦手単語リスト＞記憶エリア２２ｆに記憶されていない（存在しない）と判定されると（ステップＲ２のＮＯ）、ＣＰＵ２１は、当該英単語のデータを検索履歴リスト＜苦手単語リスト＞記憶エリア２２ｆに追加して記憶させ、その検索回数のデータを“１”にセットする（ステップＲ３）。
【００５２】
一方、検索された英単語のデータが検索履歴リスト＜苦手単語リスト＞記憶エリア２２ｆに記憶されている（存在する）と判定されると（ステップＲ２のＹＥＳ）、ＣＰＵ２１は、当該記憶されている英単語のデータに対応付けられた検索回数に“１”を加算する（ステップＲ４）。
【００５３】
ステップＲ４において“１”を加算した検索回数が“２”以上になったと判定されると（ステップＲ５のＹＥＳ）、ＣＰＵ２１は、当該英単語のデータに対応付けて苦手英単語フラグをセットするとともに、検索回数に応じた学習優先度（苦手度合）のデータをセットする（ステップＲ６）。
【００５４】
学習優先度（苦手度合）は、例えば、検索回数“２”〜“５”の場合に学習優先度“１”、検索回数“６”〜“８”の場合に学習優先度“２”、検索回数“９”以上で学習優先度“３”とする。なお、学習優先度（苦手度合）が高いと、理解度は低いことになる。
【００５５】
（興味ジャンル判定処理：図６）
辞書システムプログラム２２ａあるいはブラウザなどに従って文章（テキスト）データが取得されると、ＣＰＵ２１は、取得された文章データのプロパティなどとしてジャンルの情報が付与されているか否か判定する（ステップＱ１）。
【００５６】
取得された文章データにジャンルの情報が付与されていると判定されると（ステップＱ１のＹＥＳ）、ＣＰＵ２１は、当該文章データのジャンルと、興味ジャンルリスト記憶エリア２２ｇに記憶されているユーザが興味のあるジャンルとを比較し（ステップＱ２）、取得された文章データのジャンルと一致するジャンルが、ユーザが興味のあるジャンルの中に存在するか否か判定する（ステップＱ３）。
【００５７】
取得された文章データのジャンルと一致するジャンルが、ユーザが興味のあるジャンルの中に存在すると判定されると（ステップＱ３のＹＥＳ）、ＣＰＵ２１は、当該文章データのジャンルはユーザの興味のあるジャンルであると判定する（ステップＱ４）。
【００５８】
また、取得された文章データのジャンルと一致するジャンルが、ユーザが興味のあるジャンルの中に存在しないと判定されると（ステップＱ３のＮＯ）、ＣＰＵ２１は、当該文章データのジャンルはユーザの興味のあるジャンルではないと判定する（ステップＱ５）。
【００５９】
一方、ステップＱ１において、取得された文章データにジャンルの情報が付与されていないと判定されると（ステップＱ１のＮＯ）、ＣＰＵ２１は、文章データのジャンルを自動解析するための自動解析モードのデータが記憶部２２内にセットされているか否かを判定する（ステップＱ６）。自動解析モードのデータは、例えば、ユーザ操作により当該自動解析モードを指定することで記憶部２２内にセットされる。
【００６０】
自動解析モードのデータがセットされていると判定されると（ステップＱ６のＹＥＳ）、ＣＰＵ２１は、取得された文章データに含まれる各単語の各々について、ジャンル別頻出単語リスト記憶エリア２２ｈに記憶されているジャンル別の単語と（単語の原形として）一致するかを判定することで（一致すれば相関有り）、各単語と各ジャンルの組み合わせ毎に相関の有無を求める（ステップＱ７）。
【００６１】
ＣＰＵ２１は、ジャンル毎に相関有りと判定された単語の数を加算した値を、文章データと各ジャンルとの総合的な一致度（相関有りと判定された単語の数が多い方が一致度は高い）として求め（ステップＱ８）、所定の値以上の一致度があるジャンルがあるかを判定する（ステップＱ９）。
【００６２】
文章データに含まれる各単語について、所定の値以上の一致度があるジャンルがあると判定されると（ステップＱ９のＹＥＳ）、ＣＰＵ２１は、当該所定の値以上の一致度があると判定されたジャンルの情報を、取得された文章データのプロパティなどとして付与する（ステップＱ１０）。そして、ステップＱ２以降の処理に従って、当該文章データのジャンルがユーザの興味のあるジャンルであるかないかを判定する（ステップＱ２〜Ｑ５）。
【００６３】
（文章表示処理：図４Ａ＜英単語学習機能＞）
辞書システムプログラム２２ａに従い、ユーザ操作に応じて、辞書コンテンツデータ（ここでは国語系）２２ｅ１が選択され、検索対象の見出し語（ここでは「スピンオフ」）が入力されると（ステップＳ１）、ＣＰＵ２１は、辞書コンテンツデータ（国語系）２２ｅ１から、見出し語「スピンオフ」を検索し、当該見出し語「スピンオフ」に対応付けられた説明情報のテキストデータ（図１参照）を読み出して取得する（ステップＳ２）。ここでは未だ、説明情報のテキスト画面ＧＳは表示されない。
【００６４】
ＣＰＵ２１は、取得された説明情報のテキストデータに基づき、当該説明情報の文章（テキスト）が日本語（ユーザの母国語である第１言語）であるか英語（ユーザが学習対象とする第２言語）であるかを判定する（ステップＳ３）。
【００６５】
取得された説明情報の文章が日本語であると判定されると（ステップＳ３の「日本語」）、ＣＰＵ２１は、英単語学習モード記憶エリア２２ｉに英単語学習モードデータが記憶されているか否かに基づいて、英単語学習機能が有効であるか否かを判定する（ステップＳ４）。
【００６６】
英単語学習機能が有効であると判定されると（ステップＳ４のＹＥＳ）、ＣＰＵ２１は、取得された説明情報の文章がユーザの興味のあるジャンルであるか否かを、前述した興味ジャンル判定処理（図６参照）に従い判定する（ステップＳ５）。
【００６７】
取得された説明情報の文章がユーザの興味のあるジャンルであると判定されると（ステップＳ５のＹＥＳ）、ＣＰＵ２１は、取得された説明情報の文章に含まれる各単語（日本語）の各々について、検索履歴リスト＜苦手単語リスト＞記憶エリア２２ｆに記憶されている苦手英単語フラグの対応付けられた苦手英単語に対応する日本語（意味）と比較し（ステップＳ６）、取得された説明情報の文章に含まれる各単語（日本語）と合致する日本語（意味）の苦手英単語があるかを判定する（ステップＳ７）。
【００６８】
取得された説明情報の文章に含まれる単語（日本語）と合致する日本語（意味）の苦手英単語があると判定されると（ステップＳ７のＹＥＳ）、ＣＰＵ２１は、当該文章内の単語（日本語）と合致する複数の苦手英単語がある場合に、当該複数の苦手英単語うち、検索履歴リスト＜苦手単語リスト＞記憶エリア２２ｆに記憶されている学習優先度（苦手度合）の高い順に、例えばユーザ操作に応じて任意に設定されている上限数までの苦手英単語を選択する（ステップＳ８）。
【００６９】
なお上限数は、例えば、取得された文章に含まれる単語の数（同一の単語は１つと数える）の１割あるいは２割に相当する整数値、または当該整数値を想定した３個や５個などの整数値に設定する。
【００７０】
ＣＰＵ２１は、取得された説明情報の文章に含まれる各単語（日本語）のうち、ステップＳ８にて選択された各苦手英単語に対応する各単語（日本語）の部分を全て当該苦手英単語に置き換えて変換する（ステップＳ９）。
【００７１】
そして、ステップＳ９にて、各苦手英単語に対応する各単語（日本語）の部分が当該苦手英単語に変換されたテキストデータ（取得された文章（テキスト）のデータ）を、図１あるいは図２で示したように、タッチパネル式表示部１７にテキスト画面ＧＳとして表示させる（ステップＳ１０）。
【００７２】
なお、図１および図２で示した実施例は、取得された文章（テキスト）に含まれる各単語（日本語）の中に、苦手英単語Ｗに対応する日本語（意味）が１つであった場合、または苦手英単語Ｗに対応する日本語（意味）が複数あっても当該苦手英単語Ｗを選択する上限数が“１”に設定されていた場合の実施例を示しており、図１に示す実施例では、取得された文章（テキスト）に含まれる苦手英単語“independence”Ｗに対応する単語（日本語「独立」）の部分が当該苦手英単語“independence”Ｗに変換され、また、図２に示す実施例では、取得された文章（テキスト）に含まれる苦手英単語“protection”Ｗに対応する単語（日本語「保護」）の部分が当該苦手英単語“protection”Ｗに変換され、表示部１７にテキスト画面ＧＳとして表示された状態を示している。
【００７３】
このような文章表示処理の英単語学習機能によれば、変換した苦手英単語Ｗと、その前後にある日本語のテキストとの繋がりから、当該苦手英単語Ｗの意味をユーザが連想して導き出すことで、ユーザは同苦手英単語Ｗを効果的に学習できる。
【００７４】
苦手英単語Ｗに変換した部分を含む文章（テキスト）の表示状態（図１、図２参照）において、変換された苦手英単語Ｗがユーザによりタッチされることで、ＣＰＵ２１により、当該苦手英単語Ｗの部分を元の単語（日本語）に戻す指示があったと判定されると（ステップＳ１１のＹＥＳ）、ＣＰＵ２１は、テキスト画面ＧＳとして表示されている文章（テキスト）のタッチされた苦手英単語Ｗの部分を元の単語（日本語）に戻して、当該文章（テキスト）を再表示させる（ステップＳ１２）。
【００７５】
これにより、ユーザは、テキスト画面ＧＳとして表示されている日本語の文章（テキスト）のうち、変換されて表示された苦手英単語Ｗに対応する日本語（意味）を確認できるだけでなく、ユーザ自身が連想した意味で正しいか否かを確認でき、同苦手英単語Ｗを効果的に学習できる。
【００７６】
一方、ステップＳ４において、英単語学習機能が有効でないと判定されるか（ステップＳ４のＮＯ）、またはステップＳ５において、取得された説明情報の文章がユーザの興味のあるジャンルでないと判定されるか（ステップＳ５のＮＯ）、またはステップＳ７において、取得された説明情報の文章に含まれる単語（日本語）と合致する日本語（意味）の苦手英単語がないと判定されると（ステップＳ７のＮＯ）、ＣＰＵ２１は、取得された説明情報の文章（テキスト）をそのままタッチパネル式表示部１７にテキスト画面ＧＳとして表示させる（ステップＳ１０）。
【００７７】
この後、他の辞書コンテンツデータ１２ｅｎを選択して新たな見出し語を検索する場合、ＣＰＵ２１は、ステップＳ１以降の処理を繰り返す（ステップＳ１３のＮＯ→Ｓ１）。
【００７８】
また、ユーザ操作に応じて終了が指示された場合、ＣＰＵ２１は、ステップＳ１〜Ｓ１２に従った一連の処理を終了する（ステップＳ１３のＹＥＳ）。
【００７９】
なお、ＣＰＵ２１により取得される日本語の文章（テキスト）は、辞書コンテンツデータ記憶エリア１２ｅに記憶されている辞書コンテンツデータ１２ｅｎから取得される場合に限らず、通信ネットワーク（インターネット）Ｎ上のＷｅｂサーバ３０から取得される場合、あるいはメモリカードやＣＤ−ＲＯＭなどの外部記録媒体２３から取得される場合など、他の手法により取得される場合も含む。
【００８０】
（文章表示処理：図４Ｂ＜自動リーディング補助機能＞）
辞書システムプログラム２２ａに従い、ユーザ操作に応じて、英語系の辞書コンテンツデータ（例えば「英英辞典」）２２ｅ２が選択され、検索対象の見出し語（英単語）が入力されると（ステップＳ１）、ＣＰＵ２１は、辞書コンテンツデータ（英英辞典）２２ｅ２から、入力された見出し語（英単語）を検索し、当該見出し語（英単語）に対応付けられた説明情報（英語）のテキストデータを読み出して取得する（ステップＳ２）。
【００８１】
ＣＰＵ２１により、取得された説明情報の文章（テキスト）が英語（ユーザの母国語ではない第２言語）であると判定されると（ステップＳ３の「英語」）、ＣＰＵ２１は、自動リーディング補助モード記憶エリア２２ｊに自動リーディング補助モードデータが記憶されているか否かに基づいて、自動リーディング補助機能が有効であるか否かを判定する（ステップＳ１４）。
【００８２】
自動リーディング補助機能が有効であると判定されると（ステップＳ１４のＹＥＳ）、ＣＰＵ２１は、取得された説明情報の文章に含まれる各英単語の各々について、検索履歴リスト＜苦手単語リスト＞記憶エリア２２ｆに記憶されている苦手英単語フラグの対応付けられた苦手英単語と比較し（ステップＳ１５）、取得された説明情報の文章に含まれる各英単語と同英単語の原形が合致する苦手英単語があるかを判定する（ステップＳ１６）。
【００８３】
取得された説明情報の文章に含まれる英単語と同英単語の原形が合致する苦手英単語があると判定されると（ステップＳ１６のＹＥＳ）、ＣＰＵ２１は、当該文章内の英単語と合致する複数の苦手英単語がある場合に、当該複数の苦手英単語うち、検索履歴リスト＜苦手単語リスト＞記憶エリア２２ｆに記憶されている学習優先度（苦手度合）の高い順に、例えばユーザ操作に応じて任意に設定されている上限数までの苦手英単語を選択する（ステップＳ１７）。
【００８４】
ＣＰＵ２１は、取得された説明情報の文章に含まれる各英単語のうち、ステップＳ１７にて選択された各苦手英単語に対応する部分を日本語に置き換えて変換する（ステップＳ１８）。
【００８５】
そして、ステップＳ１８にて、各苦手英単語に対応する部分が日本語に変換されたテキストデータ（取得された文章（テキスト）のデータ）を、タッチパネル式表示部１７にテキスト画面ＧＳとして表示させる（ステップＳ１９）。
【００８６】
このような文章表示処理の自動リーディング補助機能によれば、ユーザの母国語（日本語）ではない英語の文章（テキスト）を取得して表示させる場合、表示させる英語の文章に含まれるユーザの苦手な苦手英単語を予め日本語に変換して表示させることができるので、ユーザは英語の文章（テキスト）であっても当該文章の内容を容易に読み取り理解することができる。
【００８７】
苦手英単語を日本語に変換した部分を含む英語の文章（テキスト）の表示状態において、変換された日本語の部分がユーザによりタッチされることで、ＣＰＵ２１により、当該日本語の部分を元の英単語（苦手英単語）に戻す指示があったと判定されると（ステップＳ２０のＹＥＳ）、ＣＰＵ２１は、テキスト画面ＧＳとして表示されている英語の文章（テキスト）のタッチされた日本語の部分を元の英単語（苦手英単語）に戻して、当該英語の文章（テキスト）を再表示させる（ステップＳ２１）。
【００８８】
これにより、ユーザは、テキスト画面ＧＳとして表示されている英語の文章（テキスト）うち、変換されて表示された日本語に対応する英単語（苦手英単語）を確認して学習できる。
【００８９】
なお、自動リーディング補助機能により、取得された英語の文章（テキスト）を表示させる場合、ステップＳ２にて当該英語の文章（テキスト）を取得した時点で表示させるようにしてもよい。これによれば、ユーザは、表示された英語の文章に含まれる各英単語の中の苦手英単語について、当該苦手英単語が日本語に変換されて表示される動作を確認することができ、当該苦手英単語を効果的に学習できる。
【００９０】
一方、ステップＳ１４において、自動リーディング補助機能が有効でないと判定されるか（ステップＳ１４のＮＯ）、またはステップＳ１６において、取得された説明情報の文章に含まれる英単語と同英単語の原形が合致する苦手英単語がないと判定されると（ステップＳ１６のＮＯ）、ＣＰＵ２１は、取得された英語の文章（テキスト）をそのままタッチパネル式表示部１７にテキスト画面ＧＳとして表示させる（ステップＳ１９）。
【００９１】
この後、他の辞書コンテンツデータ１２ｅｎを選択して新たな見出し語を検索する場合、ＣＰＵ２１は、ステップＳ１以降の処理を繰り返す（ステップＳ１３のＮＯ→Ｓ１）。
【００９２】
また、ユーザ操作に応じて終了が指示された場合、ＣＰＵ２１は、ステップＳ１〜Ｓ２１に従った一連の処理を終了する（ステップＳ１３のＹＥＳ）。
【００９３】
なお、ＣＰＵ２１により取得される英語の文章（テキスト）は、辞書コンテンツデータ記憶エリア１２ｅに記憶されている辞書コンテンツデータ１２ｅｎから取得される場合に限らず、通信ネットワーク（インターネット）Ｎ上のＷｅｂサーバ３０から取得される場合、あるいはメモリカードやＣＤ−ＲＯＭなどの外部記録媒体２３から取得される場合など、他の手法により取得される場合も含む。
【００９４】
したがって、実施形態の電子辞書１０（電子機器）のテキスト表示機能に基づく英単語学習機能によれば、ユーザの母国語である第１言語（日本語）であって、且つ、ユーザの興味があるジャンルの文章（テキスト）を、辞書コンテンツデータ１２ｅｎあるいは通信媒体や記録媒体に基づき取得してタッチパネル式表示部１７に表示させる際に、取得された第１言語（日本語）の文章（テキスト）に含まれる各単語（日本語）の中に、検索履歴リスト＜苦手単語リスト＞記憶エリア２２ｆに苦手英単語フラグを対応付けて記憶されている第２言語（学習対象言語：英語）の苦手英単語Ｗに対応する日本語（意味）と合致する単語（日本語）があるか判定する。
【００９５】
そして、苦手英単語Ｗに対応する日本語（意味）と合致した単語（日本語）を当該苦手英単語Ｗに置き換えて変換し、変換した文書（テキスト）をタッチパネル式表示部１７にテキスト画面ＧＳとして表示させる。
【００９６】
これにより、表示されたユーザの興味があるジャンルの日本語の文章（テキスト）において、変換した苦手英単語Ｗと、その前後にある日本語のテキストとの繋がりから、当該苦手英単語Ｗの意味をユーザが連想して導き出すことで、ユーザは同苦手英単語Ｗを効果的に学習できるようになる。
【００９７】
よって、単語を学習するのに効果的にテキストを表示させることが可能な電子辞書１０（電子機器）を提供できる。
【００９８】
また、実施形態の電子辞書１０（電子機器）のテキスト表示機能に基づく英単語学習機能によれば、取得された第１言語（日本語）の文章（テキスト）内の各単語（日本語）と合致する複数の苦手英単語Ｗがある場合、当該複数の苦手英単語Ｗうち、検索履歴リスト＜苦手単語リスト＞記憶エリア２２ｆに記憶されている学習優先度（苦手度合）の高い順（理解度の低い順）に、任意に設定されている上限数までの苦手英単語Ｗが選択される。
【００９９】
そして、取得された文章（テキスト）内の各単語（日本語）のうち、選択された各苦手英単語Ｗに対応する各単語（日本語）の部分を当該苦手英単語Ｗに置き換えて変換し、変換した文章（テキスト）をタッチパネル式表示部１７にテキスト画面ＧＳとして表示させる。
【０１００】
これにより、取得された文章（テキスト）内に、例えば、多数の苦手英単語Ｗに対応する単語（日本語）が含まれる場合は、苦手英単語Ｗに変換する単語（日本語）の数を、学習優先度（苦手度合）の高い順（理解度の低い順）に設定されている上限数に制限することで、表示された文章（テキスト）内に苦手英単語Ｗに変換された部分が多くなり過ぎて当該文章がユーザにより読み辛くなるのを防止できるだけなく、ユーザは学習優先度（苦手度合）の高い苦手英単語Ｗに絞って効果的に学習できるようになる。
【０１０１】
なお、実施形態の電子辞書１０（電子機器）では、ユーザの母国語である第１言語を日本語とし、学習対象とする第２言語を英語とした場合について説明したが、当該第１言語と第２言語はこれに限らず、ユーザによって任意に選択可能な構成とする。
【０１０２】
前記各実施形態において記載した電子辞書１０（電子機器）による各処理の手法、すなわち、図４Ａ，図４Ｂのフローチャートに示す文章（テキスト）表示処理、図５のフローチャートに示す苦手単語登録処理、図６のフローチャートに示す興味ジャンル判定処理などの各手法は、何れもコンピュータに実行させることができるプログラムとして、メモリカード（ＲＯＭカード、ＲＡＭカードなど）、磁気ディスク（フロッピ（登録商標）ディスク、ハードディスクなど）、光ディスク（ＣＤ−ＲＯＭ、ＤＶＤなど）、半導体メモリなどの外部記録装置の媒体に格納して配布することができる。そして、電子機器のコンピュータ（ＣＰＵ）は、この外部記録装置の媒体に記録されたプログラムを記憶装置に読み込み、この読み込んだプログラムによって動作が制御されることにより、前記各実施形態において説明したテキスト表示機能（英単語学習機能）および当該テキスト表示機能に基づく自動リーディング補助機能を実現し、前述した手法による同様の処理を実行することができる。
【０１０３】
また、前記各手法を実現するためのプログラムのデータは、プログラムコードの形態として通信ネットワーク（Ｎ）上を伝送させることができ、この通信ネットワーク（Ｎ）に接続されたコンピュータ装置（プログラムサーバ）から、前記プログラムのデータを電子機器に取り込んで記憶装置に記憶させ、前述したテキスト表示機能（英単語学習機能）および当該テキスト表示機能に基づく自動リーディング補助機能を実現することもできる。
【０１０４】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１０５】
以下に、本願出願の当初の特許請求の範囲に記載された発明を付記する。
【０１０６】
［付記１］
ディスプレイと、
プロセッサと、を備え、
前記プロセッサは、
第１言語のテキストを表示対象として取得し、
取得した前記テキストに含まれる複数の第１言語の単語それぞれについて、前記第１言語の単語に対応する前記第１言語とは異なる第２言語の単語が特定の単語として登録されているか否かを判定し、
前記特定の単語として登録されていると判定された前記第２言語の単語に対応する前記第１言語の単語を前記第２言語の単語に変換してから前記テキストを前記ディスプレイに表示させる、ように構成されている、
電子機器。
【０１０７】
［付記２］
前記第１言語はユーザの母国語であり、
前記第２言語はユーザの学習対象とする言語であり、
前記特定の単語は、前記第２言語の単語のうちの特に学習が必要な単語である、
付記１に記載の電子機器。
【０１０８】
［付記３］
前記第２言語の単語のうちの前記特定の単語は、ユーザが苦手であることを示す情報を対応付けてストレージ内にリストにして複数が記憶されており、
前記プロセッサは、
前記テキストに含まれる複数の前記第１言語の単語それぞれについて、前記リストとして記憶されている複数の前記特定の単語のいずれかに対応するか否かを判定し、
複数の前記特定の単語のいずれかに対応すると判定された前記第２言語の単語のうちの少なくとも１つに対応する前記第１言語の単語を前記第２言語の単語に変換してから前記テキストを前記ディスプレイに表示させる、
付記１または付記２に記載の電子機器。
【０１０９】
［付記４］
前記プロセッサは、
前記第２言語の単語のユーザの苦手度を判定し、
設定された苦手度以上の前記第２言語の単語を、前記特定の単語として前記ユーザが苦手であることを示す情報を対応付けて前記ストレージに記憶させる、
付記３に記載の電子機器。
【０１１０】
［付記５］
前記プロセッサは、
前記取得した前記テキストの内容が特定の種類の内容であるかを判定し、
前記特定の種類の内容であると判定された場合に、前記取得した前記テキストに含まれる複数の第１言語の単語それぞれについて、前記第１言語の単語に対応する前記第１言語とは異なる第２言語の単語が特定の単語として登録されているか否かを判定する、
付記１ないし付記４の何れかに記載の電子機器。
【０１１１】
［付記６］
前記特定の種類は、ユーザが興味のある種類としてストレージに記憶されており、
前記プロセッサは、
前記取得した前記テキストの内容が、前記ユーザが興味のある種類として記憶された特定の種類の内容であるかを判定する、
付記５に記載の電子機器。
【０１１２】
［付記７］
前記プロセッサは、
ユーザが興味のある種類を判定し、
前記判定された種類を前記ストレージに記憶させる、
付記６に記載の電子機器。
【０１１３】
［付記８］
前記表示対象として取得されるテキストは、辞書コンテンツおよびインターネット上のコンテンツから取得される、
付記１ないし付記７の何れかに記載の電子機器。
【０１１４】
［付記９］
前記ユーザの母国語である第１言語と前記学習対象とする言語である第２言語とは、ユーザ操作に応じて選択される、
付記２に記載の電子機器。
【０１１５】
［付記１０］
ディスプレイを備えた電子機器のプロセッサにより、
第１言語のテキストを表示対象として取得し、
取得した前記テキストに含まれる複数の第１言語の単語それぞれについて、前記第１言語の単語に対応する前記第１言語とは異なる第２言語の単語が特定の単語として登録されているか否かを判定し、
前記特定の単語として登録されていると判定された前記第２言語の単語に対応する前記第１言語の単語を前記第２言語の単語に変換してから前記テキストを前記ディスプレイに表示させる、
テキスト表示方法。
【０１１６】
［付記１１］
ディスプレイを備えた電子機器のプロセッサを、
第１言語のテキストを表示対象として取得し、
取得した前記テキストに含まれる複数の第１言語の単語それぞれについて、前記第１言語の単語に対応する前記第１言語とは異なる第２言語の単語が特定の単語として登録されているか否かを判定し、
前記特定の単語として登録されていると判定された前記第２言語の単語に対応する前記第１言語の単語を前記第２言語の単語に変換してから前記テキストを前記ディスプレイに表示させる、
ように機能させるためのプログラム。
【符号の説明】
【０１１７】
１０  …電子辞書（電子機器）
１４  …キー入力部（キーボード）
１７  …タッチパネル式表示部
ＧＳ  …テキスト画面
Ｗ  …苦手英単語
２１  …ＣＰＵ（プロセッサ）
２２  …記憶部（ストレージ）
２２ａ…辞書システムプログラム
２２ｂ…文章（テキスト）表示処理プログラム
２２ｃ…苦手単語登録処理プログラム
２２ｄ…興味ジャンル判定処理プログラム
２２ｅ…辞書コンテンツデータ記憶エリア
２２ｆ…検索履歴リスト＜苦手単語リスト＞記憶エリア
２２ｇ…興味ジャンルリスト記憶エリア
２２ｈ…ジャンル別頻出単語リスト記憶エリア
２２ｉ…英単語学習モード記憶エリア
２２ｊ…自動リーディング補助モード記憶エリア
２２ｋ…表示データ記憶エリア
２３  …外部記録媒体
２４  …記録媒体読取部
２５  …通信部
Ｎ  …通信ネットワーク（インターネット）
３０  …Ｗｅｂサーバ
【図１】
2020160112.tif 000003
【図２】
2020160112.tif 000004
【図３】
2020160112.tif 000005
【図４Ａ】
2020160112.tif 000006
【図４Ｂ】
2020160112.tif 000007
【図５】
2020160112.tif 000008
【図６】
2020160112.tif 000009